(57)【要約】【課題】輻輳を生じさせることなく多数の端末に迅速に投稿の通知を行う。【解決手段】複数のユーザが使用する複数の端末3と接続された投稿同報サーバ2がユーザの参加するイベントに関連して送信された投稿内容を複数の端末に一斉送信する投稿同報システム1を、端末は、イベントに関連する投稿内容と当該端末を識別する端末識別子とを含む投稿を送信する投稿送信部353を備え、投稿同報サーバは、投稿を受信した場合、端末識別子ごとに通知識別子が関連づけられた端末テーブル221において、投稿に含まれる端末識別子に関連づけられた通知識別子を特定する通知識別子特定部232と、投稿内容と通知識別子とを含む通知を接続された複数の端末に一斉送信する通知同報部233と、を備え、端末は、受信した通知に含まれる通知識別子が予め記憶された通知識別子と一致する場合、通知に含まれる投稿内容を表示する通知表示部354を備えるように構成する。【選択図】図１
2020052746.tif 000002
【特許請求の範囲】
【請求項１】
複数のユーザがそれぞれ使用する複数の端末と接続された投稿同報サーバが、前記複数のユーザのうち一のユーザの参加するイベントに関連して前記一のユーザが使用する前記複数の端末のうち一の端末から送信された投稿内容を前記複数の端末に一斉送信する投稿同報システムであって、
前記一の端末は、前記イベントに関連する投稿内容と当該端末を識別する端末識別子とを含む投稿を送信する投稿送信部を備え、
前記投稿同報サーバは、
前記投稿を受信した場合、前記端末識別子ごとに、前記投稿内容が関連するイベントに応じて前記投稿内容の通知に含められる通知識別子が関連づけられた端末テーブルにおいて、受信した前記投稿に含まれる端末識別子に関連づけられた通知識別子を特定する通知識別子特定部と、
受信した前記投稿内容と前記特定された通知識別子とを含む通知を、接続された前記複数の端末に一斉送信する通知同報部と、を備え、
前記一の端末は、さらに、受信した前記通知に含まれる通知識別子が予め記憶された通知識別子と一致する場合、前記通知に含まれる投稿内容を表示する通知表示部を備える、投稿同報システム。
【請求項２】
前記投稿同報サーバと前記複数の端末とは、携帯電話ネットワークを介して接続され、
前記通知同報部は、前記携帯電話ネットワークに接続された機器にメッセージを一斉配信するためのメッセージ一斉配信システムを用いて一斉送信を行う、請求項１に記載の投稿同報システム。
【請求項３】
前記一の端末は、さらに、前記端末識別子と前記イベントを識別するイベント識別子とを含むイベント参加要求を前記投稿同報サーバに送信するイベント参加要求部を備え、
前記投稿同報サーバは、さらに、前記イベント参加要求を受信した場合、前記イベント識別子ごとに前記通知識別子を関連づけるイベントテーブルにおいて受信した前記イベント参加要求に含まれるイベント識別子に関連づけられた通知識別子を特定するとともに前記一の端末に送信し、前記端末テーブルにおいて前記端末識別子に前記通知識別子を関連づけるイベント参加受付部を備え、
前記一の端末は、さらに、前記投稿同報サーバから受信した通知識別子を記憶する通知識別子記憶部を備える、請求項１または２に記載の投稿同報システム。
【請求項４】
前記イベントテーブルには、前記イベント識別子ごとに前記投稿を一斉送信する範囲であるエリア情報が関連づけられており、
前記通知同報部は、前記イベントテーブルにおいて前記特定された通知識別子が関連づけられるエリア情報に対応する範囲において接続された前記複数の端末に、前記通知を一斉送信する、請求項３に記載の投稿同報システム。
【請求項５】
前記エリア情報は、前記一の端末が携帯電話ネットワークにおいて接続される基地局を指定する情報である、請求項４に記載の投稿同報システム。
【請求項６】
前記投稿は、前記一の端末が接続される前記基地局を識別する基地局識別子をさらに含み、
前記投稿同報サーバは、受信した前記投稿に含まれる基地局識別子に基づいて、受信した前記投稿内容に関連するイベントの前記エリア情報を更新するエリア情報更新部を備える、請求項５に記載の投稿同報システム。
【請求項７】
前記イベントテーブルには、前記イベント識別子ごとに前記イベントに関する投稿が有効となる投稿有効期間が関連づけられており、
前記通知同報部は、前記投稿を受信した時刻が、前記イベントテーブルにおいて前記特定された通知識別子が関連づけられる投稿有効期間に含まれない場合、前記一斉送信を行わない、請求項３ないし６のいずれか一項に記載の投稿同報システム。
【請求項８】
複数のユーザがそれぞれ使用する複数の端末のうち一の端末を識別する端末識別子と前記一の端末を使用するユーザが参加するイベントに関連する投稿内容とを含む投稿を受信した場合、前記端末識別子ごとに前記投稿内容が関連するイベントに応じて前記投稿内容の通知に含められる通知識別子が関連づけられた端末テーブルにおいて、受信した前記投稿に含まれる端末識別子に関連づけられた通知識別子を特定する通知識別子特定部と、
受信した前記投稿内容と前記特定された通知識別子とを含む通知を、接続された前記複数の端末に一斉送信する通知同報部と、
を備える、投稿同報サーバ。
【請求項９】
複数のユーザがそれぞれ使用する複数の端末と接続された投稿同報サーバに、
前記複数の端末のうち一の端末を識別する端末識別子と前記一の端末を使用するユーザが参加するイベントに関連する投稿内容とを含む投稿を受信した場合、前記端末識別子ごとに前記投稿内容が関連するイベントに応じて前記投稿内容の通知に含められる通知識別子が関連づけられた端末テーブルにおいて、受信した前記投稿に含まれる端末識別子に関連づけられた通知識別子を特定し、
受信した前記投稿内容と前記特定された通知識別子とを含む通知を、接続された前記複数の端末に一斉送信する、
ことを実行させる、投稿同報サーバの制御プログラム。
【請求項１０】
イベントに参加するユーザにより使用される端末であって、
前記イベントに関連する投稿内容と当該端末を識別する端末識別子とを含む投稿を送信する投稿送信部と、
前記投稿内容と前記投稿内容が関連するイベントに応じて前記投稿内容の通知に含められる通知識別子とを含む通知を受信した場合において、前記通知に含まれる通知識別子が予め記憶された通知識別子と一致する場合、前記通知に含まれる投稿内容を表示する通知表示部と、
を備える、端末。
【請求項１１】
イベントに参加するユーザにより使用される端末に、
前記イベントに関連する投稿内容と当該端末を識別する端末識別子とを含む投稿を送信し、
前記投稿内容と前記投稿内容が対応するイベントに応じて前記投稿内容の通知に含められる通知識別子とを含む通知を受信した場合において、前記通知に含まれる通知識別子が予め記憶された通知識別子と一致する場合、前記通知に含まれる投稿内容を表示する、
ことを実行させる、端末の制御プログラム。
【請求項１２】
複数のユーザがそれぞれ使用する複数の端末と接続された投稿同報サーバが、前記複数のユーザのうち一のユーザの参加するイベントに関連して前記一のユーザが使用する前記複数の端末のうち一の端末から送信された投稿内容を前記複数の端末に一斉送信する投稿同報方法であって、
前記一の端末が、前記イベントに関連する投稿内容と当該端末を識別する端末識別子とを含む投稿を送信し、
前記投稿同報サーバが、前記投稿を受信した場合、前記端末識別子ごとに、前記投稿内容が関連するイベントに応じて前記投稿内容の通知に含められる通知識別子が関連づけられた端末テーブルにおいて、受信した前記投稿に含まれる端末識別子に関連づけられた通知識別子を特定し、
前記投稿同報サーバが、受信した前記投稿内容と前記特定された通知識別子とを含む通知を、接続された前記複数の端末に一斉送信し、
前記一の端末が、受信した前記通知に含まれる通知識別子が予め記憶された通知識別子と一致する場合、前記通知に含まれる投稿内容を表示する、
ことを含む、投稿同報方法。
【発明の詳細な説明】
【技術分野】
【０００１】
本発明は、複数のユーザがそれぞれ使用する複数の端末と接続された投稿同報サーバが、ユーザの参加するイベントに関連して送信された投稿内容を複数の端末に一斉送信する投稿同報システムに関する。
【背景技術】
【０００２】
セミナー、説明会、講義といった多数の人が参加するイベントにおいて、イベントに関連して参加者の意見の表明や質問を求める場合がある。例えば、セミナーでは登壇者が参加者に対して説明を行う。このとき、登壇者が一方的に説明を行うと、参加者の要望が反映されないために参加者が説明を十分理解することができず、イベントの目的を達成できない場合がある。
【０００３】
そこで、ネットワークに接続されたサーバに参加者がスマートフォンなどの端末を用いて要望情報を送信し、登壇者が端末を用いてサーバから要望情報を受信し、閲覧可能な投稿システムが用いられる場合がある。このようなシステムを用いると、登壇者はイベント開催中に参加者の要望を知り、説明に反映させることができる。
【０００４】
参加者からの要望情報を登壇者が適切に説明に反映させるには、送信された要望情報を登壇者が遅滞なく閲覧することが重要である。また、ある参加者からの要望情報を他の参加者が遅滞なく閲覧することも、先の要望情報に関連する要望情報がまとめて投稿可能となり、先の要望情報と重複した要望情報の投稿を防止可能となるため、重要である。例えば、特許文献１には、電子掲示板への投稿者でない者が定期的に電子掲示板の閲覧せずに電子掲示板の内容が更新されたことがわかる投稿方式が記載されている。
【先行技術文献】
【特許文献】
【０００５】
【特許文献１】特開２００２−０３２２９７号公報
【発明の概要】
【発明が解決しようとする課題】
【０００６】
インターネットを介してサーバと端末とが接続される投稿システムにおいて、サーバが投稿者または参加者が使用する端末に投稿があったことを通知するには、サーバの制御プログラムは、端末との通信のため端末の数だけソケットを作成する必要がある。端末数が増加すると、それに応じてソケット作成に必要となるサーバの資源も増加する。また、端末数がサーバで一度に作成可能なソケット数を超えた場合、超過分に対応する端末との通信は、最初に作成されたソケットを用いた通信が終了した後でないと開始することができない。そのため、投稿の通知が完了するまでの時間が長くなる。
【０００７】
特に、無線ネットワークを介してサーバと端末とが接続される投稿システムでは、投稿があったことをサーバが多数の端末に対して通知する通信を短時間で行うと、無線ネットワークにおいて輻輳が発生し、一時的にデータ通信が不能となる場合がある。
【０００８】
そこで、本発明は、輻輳を生じさせることなく多数の端末に迅速に投稿の通知を行うことができる投稿同報システム、投稿同報サーバ、投稿同報サーバの制御プログラム、端末、端末の制御プログラム、および投稿同報方法を提供することを目的とする。
【課題を解決するための手段】
【０００９】
本発明にかかる投稿同報システムは、複数のユーザがそれぞれ使用する複数の端末と接続された投稿同報サーバが、複数のユーザのうち一のユーザの参加するイベントに関連して一のユーザが使用する複数の端末のうち一の端末から送信された投稿内容を複数の端末に一斉送信する投稿同報システムであって、一の端末は、イベントに関連する投稿内容と当該端末を識別する端末識別子とを含む投稿を送信する投稿送信部を備え、投稿同報サーバは、投稿を受信した場合、端末識別子ごとに、投稿内容が関連するイベントに応じて投稿内容の通知に含められる通知識別子が関連づけられた端末テーブルにおいて、受信した投稿に含まれる端末識別子に関連づけられた通知識別子を特定する通知識別子特定部と、受信した投稿内容と特定された通知識別子とを含む通知を、接続された複数の端末に一斉送信する通知同報部と、を備え、一の端末は、さらに、受信した通知に含まれる通知識別子が予め記憶された通知識別子と一致する場合、通知に含まれる投稿内容を表示する通知表示部を備えることを特徴とする。
【００１０】
本発明の投稿同報システムにおいて、投稿同報サーバと複数の端末とは、携帯電話ネットワークを介して接続され、通知同報部は、携帯電話ネットワークに接続された機器にメッセージを一斉配信するためのメッセージ一斉配信システムを用いて一斉送信を行うことが好ましい。
【００１１】
また、本発明の投稿同報システムにおいて、一の端末は、さらに、端末識別子とイベントを識別するイベント識別子とを含むイベント参加要求を投稿同報サーバに送信するイベント参加要求部を備え、投稿同報サーバは、さらに、イベント参加要求を受信した場合、イベント識別子ごとに通知識別子を関連づけるイベントテーブルにおいて受信したイベント参加要求に含まれるイベント識別子に関連づけられた通知識別子を特定するとともに一の端末に送信し、端末テーブルにおいて端末識別子に通知識別子を関連づけるイベント参加受付部を備え、一の端末は、さらに、投稿同報サーバから受信した通知識別子を記憶する通知識別子記憶部を備えることが好ましい。
【００１２】
また、本発明の投稿同報システムにおいて、イベントテーブルには、イベント識別子ごとに投稿を一斉送信する範囲であるエリア情報が関連づけられており、通知同報部は、イベントテーブルにおいて特定された通知識別子が関連づけられるエリア情報に対応する範囲において接続された複数の端末に、通知を一斉送信することが好ましい。
【００１３】
本発明の投稿同報システムにおいて、エリア情報は、一の端末が接続される基地局を指定する情報であることが好ましい。
【００１４】
本発明の投稿同報システムにおいて、投稿は、一の端末が接続される基地局を識別する基地局識別子をさらに含み、投稿同報サーバは、受信した投稿に含まれる基地局識別子に基づいて、受信した投稿内容に関連するイベントのエリア情報を更新するエリア情報更新部を備えることが好ましい。
【００１５】
また、本発明の投稿同報システムにおいて、イベントテーブルには、イベント識別子ごとにイベントに関する投稿が有効となる投稿有効期間が関連づけられており、通知同報部は、投稿を受信した時刻が、イベントテーブルにおいて特定された通知識別子が関連づけられる投稿有効期間に含まれない場合、一斉送信を行わないことが好ましい。
【００１６】
本発明の投稿同報サーバは、複数のユーザがそれぞれ使用する複数の端末のうち一の端末を識別する端末識別子と一の端末を使用するユーザが参加するイベントに関連する投稿内容とを含む投稿を受信した場合、端末識別子ごとに投稿内容が関連するイベントに応じて投稿内容の通知に含められる通知識別子が関連づけられた端末テーブルにおいて、受信した投稿に含まれる端末識別子に関連づけられた通知識別子を特定する通知識別子特定部と、受信した投稿内容と特定された通知識別子とを含む通知を、接続された複数の端末に一斉送信する通知同報部と、を備えることを特徴とする。
【００１７】
本発明にかかる投稿同報サーバの制御プログラムは、複数のユーザがそれぞれ使用する複数の端末と接続された投稿同報サーバに、複数の端末のうち一の端末を識別する端末識別子と一の端末を使用するユーザが参加するイベントに関連する投稿内容とを含む投稿を受信した場合、端末識別子ごとに投稿内容が関連するイベントに応じて投稿内容の通知に含められる通知識別子が関連づけられた端末テーブルにおいて、受信した投稿に含まれる端末識別子に関連づけられた通知識別子を特定し、受信した投稿内容と特定された通知識別子とを含む通知を、接続された複数の端末に一斉送信する、ことを実行させることを特徴とする。
【００１８】
本発明にかかる端末は、イベントに参加するユーザにより使用される端末であって、イベントに関連する投稿内容と当該端末を識別する端末識別子とを含む投稿を送信する投稿送信部と、投稿内容と投稿内容が関連するイベントに応じて投稿内容の通知に含められる通知識別子とを含む通知を受信した場合において、通知に含まれる通知識別子が予め記憶された通知識別子と一致する場合、通知に含まれる投稿内容を表示する通知表示部と、を備えることを特徴とする。
【００１９】
本発明にかかる端末の制御プログラムは、イベントに参加するユーザにより使用される端末に、イベントに関連する投稿内容と当該端末を識別する端末識別子とを含む投稿を送信し、投稿内容と投稿内容が対応するイベントに応じて投稿内容の通知に含められる通知識別子とを含む通知を受信した場合において、通知に含まれる通知識別子が予め記憶された通知識別子と一致する場合、通知に含まれる投稿内容を表示する、ことを実行させることを特徴とする。
【００２０】
本発明にかかる投稿同報方法は、複数のユーザがそれぞれ使用する複数の端末と接続された投稿同報サーバが、複数のユーザのうち一のユーザの参加するイベントに関連して一のユーザが使用する複数の端末のうち一の端末から送信された投稿内容を複数の端末に一斉送信する投稿同報方法であって、一の端末が、イベントに関連する投稿内容と当該端末を識別する端末識別子とを含む投稿を送信し、投稿同報サーバが、投稿を受信した場合、端末識別子ごとに、投稿内容が関連するイベントに応じて投稿内容の通知に含められる通知識別子が関連づけられた端末テーブルにおいて、受信した投稿に含まれる端末識別子に関連づけられた通知識別子を特定し、投稿同報サーバが、受信した投稿内容と特定された通知識別子とを含む通知を、接続された複数の端末に一斉送信し、一の端末が、受信した通知に含まれる通知識別子が予め記憶された通知識別子と一致する場合、通知に含まれる投稿内容を表示する、ことを含むことを特徴とする。
【発明の効果】
【００２１】
本発明によると、輻輳を生じさせることなく多数の端末に迅速に投稿の通知を行うことができる投稿同報システム、投稿同報サーバ、投稿同報サーバの制御プログラム、端末、端末の制御プログラム、および投稿同報方法を提供することができる。
【図面の簡単な説明】
【００２２】
【図１】投稿同報システムの動作概要を示す模式図である。
【図２】投稿同報サーバの概略構成を示す模式図である。
【図３】端末テーブルの例を示す図である。
【図４】イベントテーブルの例を示す図である。
【図５】端末の概略構成を示す模式図である。
【図６】投稿共有サーバの概略構成を示す模式図である。
【図７】投稿同報システムにおけるイベント参加処理のシーケンス図である。
【図８】イベント参加要求時に端末に表示される画面の例である。
【図９】イベント参加要求信号を説明するための模式図である。
【図１０】投稿同報システムにおける投稿同報処理のシーケンス図である。
【図１１】投稿時に端末に表示される画面の例である。
【図１２】投稿信号を説明するための模式図である。
【図１３】通知信号を説明するための模式図である。
【図１４】通知受信時に端末に表示される画面の例である。
【図１５】ＥＴＷＳを用いた通知同報の概要を説明する図である。
【発明を実施するための形態】
【００２３】
以下、図面を参照して投稿同報システム、投稿同報サーバ、投稿同報サーバの制御プログラム、端末、端末の制御プログラム、および投稿同報方法について詳細に説明する。ただし、本発明は図面または以下に記載される実施形態には限定されないことを理解されたい。
【００２４】
本明細書に記載の実施形態にかかる投稿同報システムでは、複数のユーザがそれぞれ使用する複数の端末と接続された投稿同報サーバは、ユーザの参加するイベントに対応して送信された投稿の通知を複数の端末に一斉送信する。
【００２５】
投稿同報システムにおいて、投稿同報サーバは、投稿内容と端末識別子とを含む投稿を端末から受信すると、投稿内容と端末識別子に基づき特定される通知識別子とを含む通知を複数の端末に一斉送信する。端末は、通知に含まれる通知識別子が予め記憶された通知識別子と一致する場合、通知に含まれる投稿内容を表示する。
【００２６】
図１は、投稿同報システムの動作概要を示す模式図である。
【００２７】
投稿同報システム１は、投稿同報サーバ２と、端末Ａ３−１〜端末Ｃ３−３（あわせて「端末３」ともいう）と、投稿共有サーバ４とを有する。
【００２８】
所定のイベントに参加を希望するユーザＡおよびユーザＢは、端末Ａ３−１および端末Ｂ３−２を操作して、投稿同報サーバ２に端末識別子を含むイベント参加要求を送信する（１）。
【００２９】
端末からイベント参加要求を受信した投稿同報サーバ２は、参加要求されたイベントに対応する通知識別子を特定し、端末識別子と通知識別子とを関連づけて記憶するとともに、端末Ａ３−１および端末Ａ３−２に通知識別子を送信する（２）。端末は、受信した 識別子を記憶する。
【００３０】
イベント期間中に投稿を希望するユーザＡは、端末Ａ３−１を操作して投稿内容を作成し、投稿共有サーバ４に投稿内容と端末識別子とを含む投稿を送信する（３）。
【００３１】
端末Ａ３−１から投稿を受信した投稿共有サーバ４は、投稿同報サーバに投稿を通知する（４）。
【００３２】
投稿共有サーバ４から投稿の通知を受けた投稿同報サーバ２は、投稿内容と通知識別子とを含む通知を、端末Ａ３−１〜端末Ｂ３−２、および、イベントに参加していないユーザＣが使用する端末Ｃ３−３に一斉送信する（５）。
【００３３】
このとき、投稿同報サーバ２は、接続された機器に対し無線基地局がメッセージを一斉に配信するためのメッセージ一斉配信システムを用いて通知を一斉送信する。図１の例では、メッセージ一斉配信システムはＥＴＷＳ（Earthquake and Tsunami Warning System）５である。ＥＴＷＳ５は、3GPP TS22.168に規定される、地震・津波などの緊急情報を携帯電話ネットワークで配信するための規格である。ＥＴＷＳ５では、基地局に接続されている携帯電話端末に対し、個別にソケットを作成することなくメッセージが一斉送信される。ＥＴＷＳ５により端末３に配信されるメッセージは、緊急情報の種別を示すメッセージＩＤを含む。ＥＴＷＳ５のメッセージを受信した端末３は、メッセージＩＤごとに定義された処理（例えば警告音の送出、メッセージの表示など）を行う。投稿同報サーバ２は、通知識別子をメッセージＩＤとして指定して、ＥＴＷＳ５を用いて通知を一斉送信する。
【００３４】
また、投稿同報サーバ２は、対象として指定された地理的範囲に位置する端末に対して所定の広告を一斉配信するためのエリアターゲティング広告配信システムを用いて通知を一斉送信してもよい。
【００３５】
通知に含まれる通知識別子に一致する通知識別子を記憶している端末Ａ３−１および端末Ｂ３−２においては、通知に含まれる投稿内容が表示される。一方、通知に含まれる通知識別子に一致する通知識別子を記憶していない端末Ｃ３−３では、通知に含まれる投稿内容は表示されない。
【００３６】
このように動作することにより、投稿同報システム１は、輻輳を生じさせることなく多数の端末に迅速に投稿の通知を行うことができる。
【００３７】
図２は、投稿同報サーバの概略構成を示す模式図である。
【００３８】
投稿同報サーバ２は、投稿同報通信部２１と、投稿同報記憶部２２と、投稿同報処理部２３とを有する。
【００３９】
投稿同報通信部２１は、投稿同報サーバ２を端末３および投稿共有サーバ４と接続するための通信インタフェース回路を有する。投稿同報通信部２１は、投稿同報サーバ２を、接続された端末３との間でデータを送受信可能なネットワーク、例えば携帯電話ネットワークに接続する。投稿同報通信部２１は、端末３から受信したデータを投稿同報処理部２３に供給する。また、投稿同報通信部２１は、投稿同報処理部２３から供給されたデータを端末３に送信する。
【００４０】
投稿同報記憶部２２は、例えば半導体メモリ、磁気ディスク装置および光ディスク装置のうち少なくとも１つを有する。投稿同報記憶部２２は、投稿同報処理部２３による処理に用いられるデータとして、端末テーブル２２１およびイベントテーブル２２２を予め記憶する。端末テーブル２２１およびイベントテーブル２２２の詳細は、後述する。
【００４１】
投稿同報記憶部２２は、また、投稿同報処理部２３による処理に用いられるドライバプログラム、オペレーティングシステムプログラム、アプリケーションプログラム等を記憶する。例えば、投稿同報記憶部２２は、ドライバプログラムとして、投稿同報通信部２１を制御する通信デバイスドライバプログラム等を記憶する。各種プログラムは、例えばＣＤ−ＲＯＭ（Compact Disc Read-Only Memory）、ＤＶＤ−ＲＯＭ（DVD Read-Only Memory）等のコンピュータ読み取り可能な可搬式記録媒体から、公知のセットアッププログラム等を用いて投稿同報記憶部２２にインストールされてよい。
【００４２】
投稿同報処理部２３は、１以上のプロセッサおよびその周辺回路を備える。投稿同報処理部２３は、投稿同報サーバ２の全般的な動作を統括的に制御するものであり、例えば、ＣＰＵ（Central Processing Unit）である。投稿同報処理部２３は、投稿同報サーバ２の各種処理が投稿同報記憶部２２に記憶されているプログラム等に基づいて適切な手段で実行されるように、投稿同報通信部２１等の動作を制御する。投稿同報処理部２３は、投稿同報記憶部２２に記憶されているプログラム(ドライバプログラム、オペレーティングシステムプログラム、アプリケーションプログラム等)に基づいて処理を実行する。また、投稿同報処理部２３は、複数のプログラム（アプリケーションプログラム等）を並列に実行することができる。
【００４３】
投稿同報処理部２３は、イベント参加受付部２３１と、通知識別子特定部２３２と、通知同報部２３３と、エリア情報更新部２３４とを有する。投稿同報処理部２３が有するこれらの各部は、投稿同報処理部２３が有するプロセッサ上で実行されるプログラムによって実装される機能モジュールである。あるいは、投稿同報処理部２３が有するこれらの各部は、独立した集積回路、マイクロプロセッサ、またはファームウェアとして投稿同報サーバ２に実装されてもよい。
【００４４】
図３は、端末テーブルの例を示す図である。
【００４５】
投稿同報記憶部２２に予め記憶される端末テーブル２２１においては、端末識別子ごとに、イベント識別子と通知識別子とが関係づけられている。図３の端末テーブル２２１には、端末識別子がＴ１に対応する端末を使用するユーザがイベント識別子Ｅ１に対応するイベントに参加することが示されている。また、図３の端末テーブル２２１には、端末識別子がＴ２に対応する投稿内容の通知に、通知識別子Ｍ２が含められることが示されている。
【００４６】
図４は、イベントテーブルの例を示す図である。
【００４７】
投稿同報記憶部２２に予め記憶されるイベントテーブル２２２においては、イベント識別子ごとに、通知識別子とエリア情報と投稿有効期間とが関連づけられている。図４のイベントテーブル２２２には、イベント識別子Ｅ１に対応するイベントに関連する投稿内容の通知に通知識別子Ｍ１が含められることが示されている。また、図４のイベントテーブル２２２には、イベント識別子Ｅ２に対応するイベントに関連する投稿内容の通知対象エリアがエリアＡ１であり、投稿が有効に処理される投稿有効期間が２０１８年１０月４日１３時から１５時までであることを示している。
【００４８】
エリア情報は、携帯電話網において基地局が通信できる範囲の区画であるセルを単位として指定される。また、複数のセルの集合として地域を定義し、その地域を指定するようにしてもよい。
【００４９】
投稿同報サーバ２は、投稿共有サーバ４からエリア情報を取得し、イベント識別子に関連づけてイベントテーブル２２２に記憶する。また、投稿同報サーバ２は、投稿同報サーバ２が提供する入力画面を用いてイベント関係者が入力したエリア情報を、イベント識別子に関連づけて記憶してもよい。
【００５０】
投稿有効期間は、イベントに関連する投稿内容の通知を一斉送信する期間の始期および終期により指定される。また、期間の始期と有効期間とを指定することにより、期間の始期から有効期間経過後までの期間が投稿有効期間として指定されてもよい。さらに、期間の始期を指定することにより、期間の始期から予め定められた標準有効期間（例えば２４時間）経過後までの期間が投稿有効期間として指定されてもよい。
【００５１】
なお、イベントテーブル２２２に記憶されるイベント識別子は、投稿共有サーバ４がイベントを識別するために用いる識別子と共通であってもよく、異なっていてもよい。
【００５２】
図５は、端末の概略構成を示す模式図である。
【００５３】
端末３は、投稿同報サーバ２および投稿共有サーバ４に接続し、通信を行う。端末３は、ユーザにより操作され、投稿内容の送信および表示を行う。そのために、端末３は、端末通信部３１と、端末記憶部３２と、端末入出力部３３と、端末表示部３４と、端末処理部３５とを備える。端末３は、データ通信可能な情報処理装置、例えば多機能携帯電話（いわゆる「スマートフォン」）、携帯電話（いわゆる「フィーチャーフォン」）、タブレット端末、パーソナルコンピュータ等である。
【００５４】
端末通信部３１は、通信インタフェース回路を備え、ネットワークを介して端末３を投稿同報サーバ２および投稿共有サーバ４に接続する。端末通信部３１は、端末３を、データを送受信可能なネットワーク、例えば携帯電話網に接続する。端末通信部３１は、端末処理部３５から供給されたデータを、ネットワークを介して投稿同報サーバ２および投稿共有サーバ４に送信する。また、端末通信部３１は、ネットワークを介して投稿同報サーバ２および投稿共有サーバ４から受信したデータを端末処理部３５に供給する。
【００５５】
端末記憶部３２は、例えば、半導体メモリ装置を備える。端末記憶部３２は、端末処理部３５での処理に用いられるオペレーティングシステムプログラム、ドライバプログラム、アプリケーションプログラム、データ等を記憶する。例えば、端末記憶部３２は、ドライバプログラムとして、端末入出力部３３を制御する入力デバイスプログラム等を記憶する。また、端末記憶部３２は、データとして、メッセージ識別子を記憶する。また、端末記憶部３２は、所定の処理にかかる一時的なデータを一時的に記憶してもよい。
【００５６】
端末入出力部３３は、端末３に対する入力を受け付け、または出力するデバイスであり、例えばユーザの操作を受け付けるタッチパネルまたはキーボタン、マイク、カメラ、スピーカ等である。ユーザは、端末入出力部３３を用いて、文字、数字、記号等、画面上の特定の座標に対する指示等を入力することができる。端末入出力部３３は、ユーザにより操作されると、その操作に対応する信号を発生する。そして、発生した信号は、ユーザの指示として端末処理部３５に供給される。また、端末処理部３５が生成した信号に、音声等を出力する。
【００５７】
端末表示部３４は、画像の表示を行うデバイスであり、例えば液晶ディスプレイ、有機ＥＬ（Electro-Luminescence）ディスプレイ等である。端末表示部３４は、端末処理部３５から要求された画像データに応じた画像を表示する。
【００５８】
端末処理部３５は、１以上のプロセッサおよびその周辺回路を備える。端末処理部３５は、端末３の全体的な動作を統括的に制御するものであり、例えばＣＰＵである。端末処理部３５は、端末３の各種処理が端末記憶部３２に記憶されているプログラムや端末入出力部３３への操作等に基づいて適切な手段で実行されるように、端末通信部３１や端末表示部３４等の動作を制御する。端末処理部３５は、端末記憶部３２に記憶されているプログラム（オペレーティングシステムプログラム、ドライバプログラム、アプリケーションプログラム等）に基づいて処理を実行する。また、端末処理部３５は、複数のプログラム（アプリケーションプログラム等）を並列に実行することができる。
【００５９】
端末処理部３５は、イベント参加要求部３５１、通知識別子記憶部３５２、投稿送信部３５３、通知表示部３５４を備える。これらの各部は、端末処理部３５が備えるプロセッサで実行されるプログラムにより実現される機能モジュールである。あるいは、これらの各部は、ファームウェアとして端末３に実装されてもよい。
【００６０】
図６は、投稿共有サーバの概略構成を示す模式図である。
【００６１】
投稿共有サーバ４は、投稿共有通信部４１と、投稿共有記憶部４２と、投稿共有処理部４３とを有する。投稿共有サーバ４は、イベントに参加している端末３から投稿を受け付け、これまで受け付けた投稿を端末ごとに送信する。また、投稿共有サーバ４は、端末３から受け付けた投稿を、投稿同報サーバ２に転送する。
【００６２】
投稿共有通信部４１は、投稿共有サーバ４を投稿同報サーバ２および端末３と接続するための通信インタフェース回路を有する。投稿共有通信部４１は、投稿共有サーバ４を、投稿同報サーバ２との間でデータを送受信可能なネットワーク、例えばインターネットに接続する。また、投稿共有通信部４１は、投稿共有サーバ４を、接続された端末３との間でデータを送受信可能なネットワーク、例えば携帯電話網に接続する。このとき、投稿共有通信部４１は、投稿共有サーバ４をインターネットに接続された不図示の中継装置に接続し、中継装置が携帯電話網を介して端末３と接続してもよい。投稿共有通信部４１は、端末３および投稿同報サーバ２から受信したデータを投稿共有処理部４３に供給する。また、投稿共有通信部４１は、投稿共有処理部４３から供給されたデータを端末３および投稿同報サーバ２に送信する。
【００６３】
投稿共有記憶部４２は、例えば半導体メモリ、磁気ディスク装置および光ディスク装置のうち少なくとも１つを有する。投稿共有記憶部４２は、投稿共有処理部４３による処理に用いられるドライバプログラム、オペレーティングシステムプログラム、アプリケーションプログラム、データ等を記憶する。例えば、投稿共有記憶部４２は、ドライバプログラムとして、投稿共有通信部４１を制御する通信デバイスドライバプログラム等を記憶する。各種プログラムは、例えばＣＤ−ＲＯＭ（Compact Disc Read-Only Memory）、ＤＶＤ−ＲＯＭ（DVD Read-Only Memory）等のコンピュータ読み取り可能な可搬式記録媒体から、公知のセットアッププログラム等を用いて投稿共有記憶部４２にインストールされてよい。
【００６４】
投稿共有処理部４３は、１以上のプロセッサおよびその周辺回路を備える。投稿共有処理部４３は、投稿共有サーバ４の全般的な動作を統括的に制御するものであり、例えば、ＣＰＵ（Central Processing Unit）である。投稿共有処理部４３は、投稿共有サーバ４の各種処理が投稿同報記憶部２２に記憶されているプログラム等に基づいて適切な手段で実行されるように、投稿共有通信部４１等の動作を制御する。投稿共有処理部４３は、投稿共有記憶部４２に記憶されているプログラム(ドライバプログラム、オペレーティングシステムプログラム、アプリケーションプログラム等)に基づいて処理を実行する。また、投稿共有処理部４３は、複数のプログラム（アプリケーションプログラム等）を並列に実行することができる。
【００６５】
投稿共有サーバ４は、所定のイベントに関連する投稿内容を一覧表示する投稿画面を、端末３に提供する。投稿画面の提供は、所定時間ごとに、または、端末３からの要求に応じて行われる。いずれの場合であっても、投稿画面の提供は、投稿共有サーバ４と端末３のそれぞれとの間で確立された通信接続を介して行われる。したがって、接続されたすべての端末３に投稿画面を提供するには、通信接続を確立するための資源（メモリ容量、プロセッサの処理能力、通信帯域等）が端末３の数に応じて必要となる。
【００６６】
図７は、投稿同報システムにおけるイベント参加処理のシーケンス図である。
【００６７】
まず、端末３のイベント参加要求部３５１は、投稿同報サーバ２にイベントへの参加を要求する（ステップＳ１０１）。
【００６８】
図８は、イベント参加要求時に端末に表示される画面の例である。
【００６９】
端末３の端末表示部３４に表示されるイベント参加要求画面３００は、イベント概要表示３０１と、参加要求ボタン３０２とを含む。イベント概要表示３０１は、参加を要求するイベントの概要情報を示す。図８の例では、参加要求の対象となるイベントＥ１が、場所Ａ１において２０１８年１０月４日１０時〜１２時に行われることを示している。
【００７０】
端末３は、ユーザの端末入出力部３３への操作に基づいて、イベント一覧情報を投稿同報サーバ２に要求する。投稿同報サーバ２の投稿同報処理部２３は、投稿同報記憶部２２がイベント一覧情報要求を受信すると、予め投稿同報記憶部２２に記憶されるイベントテーブル２２２に基づいてイベント一覧情報を生成し、端末３に送信する。このとき、投稿同報処理部２３は、イベント有効時間が現在時刻およびそれ以降の時刻を含むイベントのみをイベントテーブル２２２から抽出し、投稿同報通信部２１に送信させてもよい。
【００７１】
端末３は、投稿同報サーバ２から受信したイベント一覧情報を、端末表示部３４に表示し、ユーザによるイベント選択を受け付ける。端末処理部３５は、端末入出力部３３がユーザによるイベント選択を受け付けると、選択されたイベントの概要情報を投稿同報サーバ２に要求する。投稿同報サーバ２は、イベントテーブル２２２に基づいて選択されたイベントの概要情報を生成し、端末３に送信する。
【００７２】
そして、端末３は、投稿同報サーバ２から受信したイベントの概要情報に基づき、イベント参加要求画面３００を端末表示部３４に表示する。イベント参加要求画面３００に表示された参加要求ボタン３０２に対するユーザの所定の操作に対応して、端末通信部３１は投稿同報サーバ２にイベント参加要求信号を送信する。ユーザの所定の操作とは、例えば、タッチパネルディスプレイである端末表示部３４における参加要求ボタン３０２の表示領域に対するタップである。
【００７３】
なお、イベントへの参加は、例えばイベント一覧情報において各イベントに対応して表示される参加要求ボタンへの所定の操作に応じて、要求されてもよい。
【００７４】
また、イベントへの参加は、イベント識別子入力欄および参加要求ボタンを有するイベント参加要求画面を用いて要求されてもよい。この場合、端末３のユーザは、イベント関係者から別途通知されたイベント識別子をイベント識別子入力欄に入力する。このようにすると、イベント識別子を通知されていない者はイベントに参加できないので、イベントの機密性を向上させることができる。
【００７５】
図９は、イベント参加要求信号を説明するための模式図である。
【００７６】
端末３は、投稿同報サーバ２にイベント参加要求信号３０３を送信することにより、イベントへの参加を要求する。イベント参加要求信号３０３は、イベント参加要求符号３０３ａ、端末識別子３０３ｂ、およびイベント識別子３０３ｃを有する。
【００７７】
イベント参加要求符号３０３ａは、イベント参加要求信号３０３がイベントへの参加を要求する信号であることを示す符号である。投稿同報サーバ２は、イベント参加要求符号３０３ａを含む信号を受信すると、その信号を、イベントへの参加を要求する信号として取り扱う。
【００７８】
端末識別子３０３ｂは、イベント参加要求信号３０３を送信した端末３を一意に特定する符号である。イベント識別子３０３ｃは、参加を要求するイベントを一意に特定する符号である。
【００７９】
イベント参加要求符号３０３ａ、端末識別子３０３ｂ、およびイベント識別子３０３ｃを含むイベント参加要求信号３０３は、端末識別子３０３ｂに対応する端末３が、イベント識別子３０３ｃに対応するイベントへの参加を要求していることを示している。
【００８０】
なお、図９におけるイベント参加要求符号３０３ａ、端末識別子３０３ｂ、およびイベント識別子３０３ｃに対応する線分の長さは、それぞれの部分の符号量に対応するものではない。また、イベント参加要求信号３０３における各符号の順序も、図９の例に限定されない。
【００８１】
図７に戻り、端末識別子３０３ｂとイベント識別子３０３ｃとを含むイベント参加要求信号３０３を端末３から受信した場合、イベント参加受付部２３１は、イベントテーブル２２２を参照して受信したイベント識別子３０３ｃに関連づけられた通知識別子を特定する。そして、イベント参加受付部２３１は、端末テーブル２２１において、受信した端末識別子３０３ｂと受信したイベント識別子３０３ｃと特定された通知識別子とを関連づけて投稿同報記憶部２２に記憶させる（ステップＳ１０２）。
【００８２】
受信した端末識別子３０３ｂが既に端末テーブル２２１に記憶されている場合、イベント参加受付部２３１は、既に記憶されている端末識別子に関連づけられたイベント識別子および通知識別子を、受信したイベント識別子および特定された通知識別子で置き換える。
【００８３】
また、受信した端末識別子が既に端末テーブル２２１に記憶されている場合、イベント参加受付部２３１は、既に記憶されている端末識別子とは別に、受信した端末識別子と受信したイベント識別子と特定された通知識別子との関連づけを記憶してもよい。このとき、イベント参加受付部２３１は、イベントテーブル２２２を参照して、記憶されている端末識別子に関連づけられたイベント識別子に対応する投稿有効期間と、受信したイベント識別子に対応する投稿有効期間とを比較し、これらが重複する場合に端末３に警告メッセージを送信するようにしてもよい。
【００８４】
次に、イベント参加受付部２３１は、イベントテーブル２２２においてイベント識別子３０３ｃに関連づけられた通知識別子（例えば、イベントＥ１に関連づけられた通知識別子Ｍ１）を端末３に送信する（ステップＳ１０３）。
【００８５】
投稿同報サーバ２から通知識別子を受信した場合、端末３の通知識別子記憶部３５２は、受信した通知識別子を端末記憶部３２に記憶する（ステップＳ１０４）。
【００８６】
ステップＳ１０１からステップＳ１０４までに一連の処理が、端末３によりユーザがイベント参加を行うたびに繰り返し実行される。
【００８７】
図１０は、投稿同報システムにおける投稿同報処理のシーケンス図である。
【００８８】
投稿同報処理は、イベント参加処理の後に実行される。投稿同報処理は、イベント参加処理の直後に実行されてもよく、イベント参加処理から時間をおいて（例えば１日後に）実行されてもよい。
【００８９】
まず、端末３の投稿送信部３５３は、端末入出力部３３によりユーザから投稿内容を受け付ける（ステップＳ２０１）。投稿内容は、ユーザによりキーボードまたはタッチパネルディスプレイに表示されたソフトキーボードから入力され、テキスト形式で受け付けられる。また、投稿部は、マイクから入力されたユーザの音声を認識してテキスト形式に変換し、投稿内容として受け付けてもよい。
【００９０】
図１１は、投稿時に端末に表示される画面の例である。
【００９１】
端末３の端末表示部３４に表示される投稿画面３１０は、投稿内容入力欄３１１と、投稿ボタン３１２と、投稿履歴３１３とを含む。投稿画面３１０は、投稿共有サーバ４により端末３に提供される。投稿内容入力欄３１１は、ユーザが入力した投稿内容が表示される欄である。投稿ボタン３１２に対してユーザが所定の操作を行うと、投稿内容入力欄３１１に入力されている投稿内容が投稿共有サーバ４に送信される。投稿履歴３１３には、イベント開始後に送信された過去の投稿が表示される。過去の投稿は、投稿画面３１０が表示されている端末３のユーザによる投稿であってもよく、他の端末のユーザによる投稿であってもよい。
【００９２】
図１０に戻り、端末３の投稿送信部３５３は、端末入出力部３３へのユーザの所定の操作に応じて、投稿内容を投稿共有サーバ４に送信し、投稿同報サーバ２は、投稿共有サーバ４を介してこれを受信する（ステップＳ２０２）。
【００９３】
図１２は、投稿信号を説明するための模式図である。
【００９４】
端末３は、投稿共有サーバ４に投稿信号３１４を送信することにより、投稿内容を送信する。また、投稿共有サーバ４は、投稿転送信号を投稿同報サーバ２に送信する。投稿信号３１４は、投稿符号３１４ａ、端末識別子３１４ｂ、基地局識別子３１４ｃ、投稿内容３１４ｄを有する。投稿共有サーバ４が投稿同報サーバ２に送信する投稿転送信号は、投稿符号３１４ａ、端末識別子３１４ｂ、基地局識別子３１４ｃ、投稿内容３１４ｄを有していればよく、これ以外の情報が付加または削除されていてもよい。
【００９５】
投稿符号３１４ａは、投稿信号３１４が投稿内容を送信する信号であることを示す符号である。投稿共有サーバ４および投稿同報サーバ２は、投稿符号３１４ａを含む信号を受信すると、その信号を、投稿内容を送信する信号として取り扱う。
【００９６】
端末識別子３１４ｂは、投稿信号３１４を送信した端末３を一意に特定する符号である。基地局識別子３１４ｃは、投稿信号３１４を送信した端末３が携帯電話ネットワークにおいて接続される基地局を識別する符号である。投稿内容３１４ｄは、端末３がユーザから受け付けた投稿内容である。
【００９７】
投稿符号３１４ａ、端末識別子３１４ｂ、基地局識別子３１４ｃ、および投稿内容３１４ｄを含む投稿信号３１４は、端末識別子３１４ｂに対応する端末３が、基地局識別子３１４ｃに対応する基地局を介して投稿内容３１４ｄの投稿を送信したことを示している。
【００９８】
なお、図１２における投稿符号３１４ａ、端末識別子３１４ｂ、基地局識別子３１４ｃおよび投稿内容３１４ｄに対応する線分の長さは、それぞれの部分の符号量に対応するものではない。また、投稿信号３１４における各符号の順序も、図１２の例に限定されない。
【００９９】
図１０に戻り、投稿信号３１４を受信した場合、投稿同報サーバ２の通知同報部２３３は、端末テーブル２２１において端末識別子３１４ｂに関連づけられたイベント識別子および通知識別子を特定する（ステップＳ２０３）。例えば、投稿信号３１４に含まれる端末識別子Ｔ１に対し、イベント識別子Ｅ１および通知識別子Ｍ１が特定される。
【０１００】
次に、通知同報部２３３は、投稿信号３１４を受信した時刻が、特定されたイベント識別子に対応する投稿有効期間の期間内であるか否かを判定する（ステップＳ２０４）。
【０１０１】
投稿有効期間内でないと判定された場合（ステップＳ２０４：Ｎ）、通知同報部２３３は投稿信号３１４を送信した端末３にエラーメッセージを送信し（ステップＳ２０５）、投稿同報処理を終了する。
【０１０２】
投稿有効期間内であると判定された場合（ステップＳ２０４：Ｙ）、通知同報部２３３は、イベントテーブル２２２において特定されたイベント識別子に関連づけられたエリア情報を特定する（ステップＳ２０６）。例えば、イベント識別子Ｅ１に対し、エリア情報Ａ１が特定される。
【０１０３】
次に、通知同報部２３３は、投稿内容３１４ｄと特定された通知識別子とを含む通知を、特定されたエリア情報に対応するエリアに位置する端末に一斉送信する（ステップＳ２０７）。
【０１０４】
図１３は、通知信号を説明するための模式図である。
【０１０５】
通知信号３２０は、通知符号３２０ａ、通知識別子３２０ｂ、および投稿内容３２０ｃを有する。
【０１０６】
通知符号３２０ａは、通知信号３２０が投稿を通知する信号であることを示す符号である。端末３は、通知符号３２０ａを含む信号を受信すると、その信号を、投稿を通知する信号として取り扱う。
【０１０７】
通知識別子３２０ｂは、投稿内容が関連するイベントに応じて通知に含められる符号である。同一の通知識別子３２０ｂを含む通知信号３２０は、同一のイベントに関連する投稿内容を通知する通知信号である。投稿内容３２０ｃは、通知の対象となる投稿の内容である。
【０１０８】
図１３における通知符号３２０ａ、通知識別子３２０ｂ、および投稿内容３２０ｃに対応する線分の長さは、それぞれの部分の符号量に対応するものではない。また、通知信号３２０における各符号の順序も、図１３の例に限定されない。
【０１０９】
図１０に戻り、通知信号３２０を受信した端末３の通知表示部３５４は、受信した通知信号３２０に含まれる通知識別子３２０ｂが、記憶された通知識別子と一致するか否かを判定する（ステップＳ２０８）。
【０１１０】
通知信号３２０に含まれる通知識別子３２０ｂが記憶された通知識別子と一致しないと判定された場合（ステップＳ２０８：Ｎ）、端末３は通知同報処理を終了する。
【０１１１】
通知信号３２０に含まれる通知識別子３２０ｂが記憶された通知識別子と一致すると判定された場合（ステップＳ２０８：Ｙ）、端末３の通知表示部３５４は、通知信号３２０に含まれる投稿内容を、端末表示部３４に表示させる（ステップＳ２０９）。
【０１１２】
図１４は、通知受信時に端末に表示される画面の例である。
【０１１３】
端末３の端末表示部３４に表示される投稿通知画面３３０では、投稿画面３１０の上に通知３３１が重畳表示されている。通知３３１は、通知表示部３５４が通知を受信したときに端末表示部３４が表示する画面に重畳して表示される。図１４の例は、通知３３１が、端末表示部３４が投稿画面３１０を表示しているときに受信され、表示されたことを示している。
【０１１４】
通知３３１は上下に２つの領域に分けられ、上の領域にはこの表示が新規投稿の通知であることが表示され、下の領域には投稿内容が表示されている。通知３３１の表示は図１４の例に限定されず、例えば上の領域と下の領域との表示内容が逆であってもよい。また、通知３３１に表示される内容も図１４の例に限定されず、例えば投稿者ないし投稿時間が投稿内容とともに表示されてもよい。
【０１１５】
投稿同報サーバ２のエリア情報更新部２３４は、通知を端末３に一斉送信した後、受信した投稿に含まれる基地局識別子に基づいて、受信した投稿内容に関連するイベントのエリア情報を更新する（ステップＳ２１０）。
【０１１６】
エリア情報更新部２３４は、受信した投稿に含まれる基地局識別子を集計し、所定の削除閾値を下回る基地局識別子に対応する基地局を、当該イベントに関連づけられたエリア情報から削除する。また、エリア情報更新部２３４は、所定の追加閾値を上回る基地局識別子に対応する基地局を、当該イベントに関連づけられたエリア情報に追加する。
【０１１７】
エリア情報更新部２３４による基地局識別子の集計および削除閾値ないし追加閾値の設定は、受信した投稿件数の基地局識別子ごとの加算によってもよく、合計投稿件数に対する基地局識別子ごとの割合によってもよい。
【０１１８】
ステップＳ２０１からステップＳ２１０までに一連の処理が、端末３でユーザが投稿を行うたびに繰り返し実行される。なお、ステップＳ２１０は、所定回数の投稿を受信する度に実行するようにしてもよい。
【０１１９】
図１５は、ＥＴＷＳを用いた通知同報の概要を説明する図である。
【０１２０】
投稿同報システム１では、端末３への通知の同報を、携帯電話ネットワークにおけるＥＴＷＳを用いて行うことができる。ＥＴＷＳは、携帯電話ネットワークに接続された機器に津波や地震に関する警報をメッセージとして一斉配信するためのメッセージ一斉配信システムである。
【０１２１】
第４世代移動通信システム（4th Generation, ４Ｇ）である携帯電話ネットワークにおけるＥＴＷＳでは、まず、情報配信元であるＣＢＥ（Cell Broadcast Entity）２０１が、情報配信サーバであるＣＢＣ（Cell Broadcast Center）２０２に、配信すべき内容を送信する。ＣＢＣ２０２は、配信エリアを指定した配信情報を作成し、ＭＭＥ（Mobility Management Entity）５１に送信する。ＭＭＥ５１は、配信情報で指定される配信エリアに対応するｅＮｏｄｅＢ（evolved Node B）５２−１〜２に情報を配信する。ｅＮｏｄｅＢ５２−１〜２は、対応する各エリア内に存在する端末３−１〜３に、情報を配信する。
【０１２２】
本実施形態の投稿同報システム１において、ＣＢＥ２０１およびＣＢＣ２０２は、投稿同報サーバ２に対応する。また、ＭＭＥ５１およびｅＮｏｄｅＢ５２−１〜２は、４Ｇ携帯電話ネットワークにおける中継局および基地局として標準的に設けられている。
【０１２３】
本実施形態の投稿同報システム１では、通知同報部２３３は、４Ｇネットワークなどに設けられるＥＴＷＳを用いて同報を行う。
【０１２４】
本発明は、ＥＴＷＳに代えて、ネットワークに接続された機器に対して同一のデータを一斉同報（ブロードキャスト）することによっても実施することができる。ブロードキャストは、例えばＩＰ（Internet Protocol）ネットワークにおいて、ブロードキャストアドレスを宛先に指定したパケットを送出することにより行われる。
【０１２５】
なお、投稿同報サーバ２および投稿共有サーバ４は、別個の機器ではなく、同一の機器に実装されていてもよい。
【０１２６】
また、端末テーブル２２１およびイベントテーブル２２２は、投稿同報サーバ２以外の機器、例えば、投稿同報サーバ２と同一のネットワークに接続されるファイルサーバに記憶されていてもよい。
【０１２７】
また、端末テーブル２２１およびイベントテーブル２２２は、リレーショナルデータベースにおける別個のテーブルとして定義されている必要はない。例えば、端末テーブル２２１は、端末識別子に基づいてイベント識別子および通知識別子が特定可能であれば足りる。同様に、イベントテーブル２２２は、イベント識別子に基づいて通知識別子等の項目が特定可能であれば足りる。
【０１２８】
さらに、端末テーブル２２１において、単一の端末識別子に基づいて複数のイベント識別子および通知識別子が特定されてもよい。この場合、通知識別子特定部２３２は、所定のアルゴリズムに従って、複数のイベント識別子および通知識別子から単一のイベント識別子および通知識別子を選択する。
【０１２９】
例えば、通知識別子特定部２３２は、イベントテーブル２２２において、特定されたそれぞれのイベント識別子に関連づけられる投稿有効期間が現在時刻以降の直近であるイベント識別子およびこれに関連づけられる通知識別子を特定する。そして、通知識別子特定部２３２は、特定されたイベント識別子および通知識別子を、端末識別子に関連する単一のイベント識別子および通知識別子として選択する。
【０１３０】
また、投稿同報サーバ２の通知同報部２３３は、一斉送信する通知信号３２０に端末識別子を含めてもよい。このとき、端末３の通知表示部３５４は、受信した通知信号３２０に含まれる端末識別子と当該端末３に記憶されている端末識別子とが一致するか否かを判定し、一致する場合には当該通知に含まれる投稿内容を表示しないようにする。このように処理すると、他ユーザの投稿のみが端末表示部３４に表示されるようになるため、ユーザの使い勝手が向上する。
【０１３１】
当業者は、本発明の精神および範囲から外れることなく、種々の変更、置換および修正をこれに加えることが可能であることを理解されたい。
【符号の説明】
【０１３２】
１    投稿同報システム
２    投稿同報サーバ
２２    投稿同報記憶部
２３１    イベント参加受付部
２３２    通知識別子特定部
２３３    通知同報部
２３４    エリア情報更新部
３    端末
３５１    イベント参加要求部
３５２    通知識別子記憶部
３５３    投稿送信部
３５４    通知表示部
【図１】
2020052746.tif 000003
【図２】
2020052746.tif 000004
【図３】
2020052746.tif 000005
【図４】
2020052746.tif 000006
【図５】
2020052746.tif 000007
【図６】
2020052746.tif 000008
【図７】
2020052746.tif 000009
【図８】
2020052746.tif 000010
【図９】
2020052746.tif 000011
【図１０】
2020052746.tif 000012
【図１１】
2020052746.tif 000013
【図１２】
2020052746.tif 000014
【図１３】
2020052746.tif 000015
【図１４】
2020052746.tif 000016
【図１５】
2020052746.tif 000017